(57)【特許請求の範囲】
【請求項１】
第１の台部と、
表示装置が載置固定される載置固定部と、
その円弧の中心点が、前記載置固定部に載置固定された薄型表示装置の重心を通って左右方向に延びた水平線上に配置する様にして、前記載置固定部に配設された左右一対の円弧状ガイドレールと、
前記第１の台部に立設された立設部に回転自在に配設され、前記円弧状ガイドレールを、前記円弧状ガイドレールの前記中心点が前記水平線上に配置した状態で前記水平線回りに回動自在に支持する支持用ローラと、
前記円弧状ガイドレールを前記水平線回りに回動させることで前記載置固定部を前後に回動させる電動駆動機構と、を備え、
前記円弧状ガイドレールは、円弧状上辺部と、円弧状下辺部と、それら各辺部が互いに間隔空けて平行配置する様にそれら各辺部の両端を連結する一対の連結部とを有し、それら各辺部間に、前記支持用ローラが配置される、
ことを特徴とする表示装置用回動台。
【請求項２】
前記円弧状ガイドレールは、その円弧の曲率半径に沿った断面がコの字形状に形成され、そのコの字形状の内部に前記支持用ローラが配置されることを特徴とする請求項１に記載の表示装置用回動台。
【請求項３】
前記電動駆動機構は、
前記第１の台部上に配設された円弧状内歯車と、
前記載置固定部に配設されたギアボックスと、
を備え、
前記ギアボックスは、
電動モータと、
前記電動モータの回転軸に配設されたウオームギアと、
前記ウオームギアと歯合したウオームホイールと、
前記円弧状内歯車と歯合し、前記ウオームホイールの回転により回転する駆動歯車と、
を備え、
前記ウオームギアは、前記ウオームホイールの回転により回転可能であることを特徴とする請求項１に記載の表示装置用回動台。
【請求項４】
前記円弧状内歯車のピッチ円の半径は、前記円弧状ガイドレールの円弧の曲率半径と略同一の長さに設定され、
前記円弧状内歯車のピッチ円の中心点は、前記円弧状ガイドレールの円弧の中心点を通る前記水平線上に配置されることを特徴とする請求項３に記載の表示装置用回動台。
【請求項５】
前記第１の台部を水平回転自在に支持する第２の台部を更に備えることを特徴とする請求項１に記載の表示装置用回動台。
【請求項６】
前記第２の台部を昇降する電動昇降機構を更に備えることを特徴とする請求項５に記載の表示装置用回動台。
【請求項７】
前記電動昇降機構は、
第３の台部と、
前記第２の台部が配設される昇降台と、
前記第３の台部上にその中心軸回りに回転自在に立設されると共に前記昇降台の上下面を貫通する螺孔に螺挿されたスクリューシャフトと、
前記第３の台部上に立設されると共に前記昇降台の上下面を貫通する挿通孔に挿通されたガイドシャフトと、
前記スクリューシャフトを前記中心軸回りに回転させる電動駆動ユニットと、
を備えることを特徴とする請求項６に記載の表示装置用回動台。
【請求項８】
前記載置固定部の前後回動の中立位置を検出する中立位置検出手段を更に備えることを特徴とする請求項１に記載の表示装置用回動台。
【請求項９】
前記中立位置検出手段は、
前記円弧状ガイドレールに前記円弧状ガイドレールの円弧方向に沿って配設され、その一端側が斜面にされた押圧用凸条部と、
前記第１の台部上に配設され、前記押圧用凸条部の上端面による押圧によりオンオフ切換される自立復帰型の押しボタンスイッチとを備え、
前記押しボタンスイッチのオンオフの切り替わりにより前記載置固定部の前記中立位置が検出され、前記押しボタンスイッチのオン状態により前記載置固定部の前記中立位置からの前方または後方のうちの一方への回動状態が検出され、前記押しボタンスイッチのオフ状態により前記載置固定部の前記中立位置からの前方または後方のうちの他方への回動状態が検出されることを特徴とする請求項８に記載の表示装置用回動台。
【発明の詳細な説明】
【技術分野】
【０００１】
本発明は、液晶表示装置等の薄型表示装置の向きを電動で調整する表示装置用回動台に関する。
【背景技術】
【０００２】
従来の薄型表示装置用の表示装置用回動台は、台部上に立設部が立設され、その立設部の上部に、支持部が、前方に突き出された状態で左右に回動自在に配設され、その支持部の先端が、薄型表示装置の背面に前後に回動自在に配設されて構成されている。この構成により、手動で、薄型表示装置の向きを前後左右に回動できる様になっている。
【０００３】
しかしこの様な構成では、電動で薄型表示装置の向きを前後に回動させる場合、薄型表示装置の重心位置が固定されていないので、その回動の際に重心が移動し、安定して回動できないという問題点がある。
【０００４】
また薄型表示装置の重心位置が固定されていないと、その回動の際に、その回転軸回りの重心による回転モーメントが変化して必要駆動力が変化するため、その回動の速度が一定にならず、これによっても、安定して回動できないという問題点がある。
【０００５】
尚、電動で表示装置の向きを前後左右に回動させる表示装置用回動台に関する先行文献として、特許文献１が公開されている。
【０００６】
【特許文献１】特開平４−６１５７６号公報
【発明の開示】
【発明が解決しようとする課題】
【０００７】
しかし特許文献１は、ＣＲＴ表示装置に適用したものであり、表示装置の重心位置を固定する点は開示されていない。
【０００８】
ＣＲＴ表示装置の場合は、前後に回動されても重心位置は余り変化しないので問題にならないが、薄型表示装置の場合は、表示装置の重心位置が固定されていないと、前後に回動されたときに重心位置が大きく変化し、安定して前後に回動できない。従って、特許文献１の表示装置用回動台を薄型表示装置に適用しても、安定して前後に回動できないという問題点がある。
【０００９】
この発明は、上記のような問題点を解決するためになされたものであり、薄型表示装置の向きを安定して回動できる電動式の表示装置用回動台を提供することを目的とする。
【課題を解決するための手段】
【００１０】
上記課題を解決する為に、本発明の第１の形態は、第１の台部と、表示装置が載置固定される載置固定部と、その円弧の中心点が、前記載置固定部に載置固定された薄型表示装置の重心を通って左右方向に延びた水平線上に配置する様にして、前記載置固定部に配設された左右一対の円弧状ガイドレールと、前記第１の台部に立設された立設部に回転自在に配設され、前記円弧状ガイドレールを、前記円弧状ガイドレールの前記中心点が前記水平線上に配置した状態で前記水平線回りに回動自在に支持する支持用ローラと、前記円弧状ガイドレールを前記水平線回りに回動させることで前記載置固定部を前後に回動させる電動駆動機構と、を備えるものである。
そして、前記円弧状ガイドレールは、円弧状上辺部と、円弧状下辺部と、それら各辺部が互いに間隔空けて平行配置する様にそれら各辺部の両端を連結する一対の連結部とを有し、それら各辺部間に、前記支持用ローラが配置される。
【発明の効果】
【００１１】
本発明の第１の形態によれば、円弧状ガイドレールは、支持用ローラにより、その円弧の中心点が載置固定部に載置固定された薄型表示装置の重心を通って左右方向に延びた水平線上に配置した状態で、前記水平線回りに回動自在に支持されるので、載置固定部に載置固定された薄型表示装置の重心位置を固定した状態で薄型表示装置を前後に回動でき、これにより薄型表示装置を安定させて前後に回動できる。
【００１２】
また電動駆動機構により円弧状ガイドレールを前記水平線回りに回動させて載置固定部を前後に回動させるので、載置固定部に載置固定された薄型表示装置を、電動で、安定させて前後に回動できる。
【発明を実施するための最良の形態】
【００１３】
この実施の形態に係る表示装置用回動台１は、電動で、液晶表示装置等の薄型表示装置の向きを前後左右に回動させる表示装置用回動台であり、図１〜図７の様に、例えば円形の基盤台３と、基盤台３上に水平回転自在に配設された例えば円形の回転台（第１の台部）５と、回転台５上に立設された立設部７と、立設部７に回転自在に配設された支持用ローラ９と、薄型表示装置２が載置固定される載置固定部１１と、載置固定部１１に配設され、支持用ローラ９により支持される円弧状ガイドレール１３と、載置固定部１１を前後に回動させる電動駆動機構１５とを備えている。
【００１４】
基盤台３は、その上面中央に平面視円形状の凹部が形成されており、その凹部内に回転台５が水平回転自在に配設されている。
【００１５】
基盤台３には、回転台５を水平回転させる電動式駆動機構として、図示省略されるが、例えば、基盤台３の前記凹部の底面上に回転台５の下面の周縁に対向して配設された円弧状ラックと、回転台３の下面に配設された第１の電動モータと、前記第１の電動モータの駆動軸に配設され、前記円弧状ラックに歯合する歯車とを備えている。即ち、前記第１の電動モータの駆動回転により前記歯車が回転し、その歯車が前記円弧状ラック上を転動することで、回転台５が基盤台３に対して水平回転する。
【００１６】
立設部７は、図８の様に、回転台５上に互いに間隔を空けて左右一対配設されている。各立設部７は、例えば断面コの字形状に形成されている。即ち各立設部７は、細長矩形状の底板部７ａを有し、その底板部７ａ上に、その底板部７ａの長手方向に沿って、２枚の垂直平板部７ｂ，７ｃが互いに間隔を空けて対向配置する様に垂直に延設されて形成されている。立設部７の垂直板部７ｂ，７ｃ間に、２個以上（ここでは２個）の支持用ローラ９がそれぞれ水平軸回りに回転自在に配設されている。
【００１７】
載置固定部１１は、図６および図９の様に、薄型表示装置２が載置される載置部１１ａを有する。そして、載置部１１ａの左右の各辺上にはそれぞれ、薄型表示装置２の左右の位置決め用の垂直板部１１ｂが垂直に延設されている。また載置部１１ａの後辺上には、薄型表示装置２の前後の位置決め用の凸条部１１ｃが凸条形成されて構成されている。垂直板部１１ｂの後辺には、薄型表示装置２と固定される固定板１１ｄが形成されており、固定板１１ｄには、薄型表示装置２とのビス止め用の孔部１１ｅが形成されている。
【００１８】
円弧状ガイドレール１３は、図６，図９および図１０の様に、載置固定部１１の下面に、その円弧が下側に向けられる様にして互いに間隔を空けて左右一対配設されている。各円弧状ガイドレール１３は、円弧状上辺部１３ａと、円弧状下辺部１３ｂと、それら各辺部１３ａ，１３ｂが互いに間隔空けて平行配置する様にそれら各辺部１３ａ，１３ｂの両端を連結する一対の連結部１３ｃと、円弧状上辺部１３ａに形成された載置固定部１１との固定用の固定部１３ｆとから構成されている。連結部１３ｃは、支持用ローラ９の脱落防止用のストッパとしても機能している。ここでは、円弧状ガイドレール１３は、一枚の金属板から一体的に形成されている。
【００１９】
各円弧状ガイドレール１３は、図３の様に、その円弧１３ｄの中心点１３ｅが載置固定部１１に載置固定された薄型表示装置２の重心を通って左右方向（紙面垂直方向）に延びた水平線Ｃ上に配置する様に、その固定部１３ｆにて載置固定部１１の下面に配設されている。
【００２０】
図７の様に、一方の円弧状ガイドレール１３の各辺部１３ａ，１３ｂ間に、一方の立設部７の各支持用ローラ９がそれら各辺部１３ａ，１３ｂに沿って移動可能に配置され、他方の円弧状ガイドレール１３の各辺部１３ａ，１３ｂ間に、他方の立設部７の各支持用ローラ９がそれら各辺部１３ａ，１３ｂに沿って移動可能に配置される。
【００２１】
この構成により、図３〜図５の様に、各円弧状ガイドレール１３は、各立設部７に配設された支持用ローラ９により、その円弧１３ｄの中心点１３ｅが水平線Ｃ上に配置した状態で、その水平線Ｃ回りに回動自在に支持されている。
【００２２】
電動駆動機構１５は、回転台５上に配設された円弧状内歯車１５ａと、載置固定部１１の下面に配設されたギアボックス１５ｂとを備えている。円弧状内歯車１５ａは、例えば各立設部７間に配設されている。
【００２３】
ギアボックス１５ｂは、図１１の様に、第２の電動モータ１５ｃと、ウオームギア１５ｄと、ウオームホイール１５ｅと、第１〜第４の中継歯車１５ｆ〜１５ｉと、駆動歯車１５ｊとを備えている。
【００２４】
ウオームギア１５ｄは、第２の電動モータ１５ｃの回転軸に配設されている。ウオームホイール１５ｅおよび第１中継歯車１５ｆは、互いに連結された状態で、回転軸Ｃ２回りに回転自在に配設されている。第２中継歯車１５ｇおよび第３中継歯車１５ｈは、互いに連結された状態で、回転軸Ｃ３回りに回転自在に配設されている。第４中継歯車１５ｉおよび駆動歯車１５ｊは、互いに連結された状態で、回転軸Ｃ４回りに回転自在に配設されている。
【００２５】
図１２の様に、ウオームギア１５ｄは、ウオームホイール１５ｅと歯合され、第１中継歯車１５ｆは、第２中継歯車１５ｇと歯合され、第３中継歯車１５ｈは、第４中継歯車１５ｉと歯合され、図１２の様に、駆動歯車１５ｊは、円弧状内歯車１５ａと歯合されている。
【００２６】
ここでは、ウオームギア１５ｄは、ウオームホイール１５ｅの回転により回転可能になっている。即ちウオームギア１５ｄの進み角は、ウオームギア１５ｄがウオームホイール１５ｅの回転により回転される角度（１３°〜２０°の範囲、ここでは１５．４°）に設定されている。
【００２７】
また円弧状内歯車１５ａのピッチ円の半径は、円弧状ガイドレール１３の円弧の曲率半径と略同一の長さに設定されている。また円弧状内歯車１５ａのピッチ円の中心点は、円弧状ガイドレール１３の円弧の中心点１３ｅを通る水平線Ｃ上に配置されている。これにより円弧状内歯車１５ａを円弧状ガイドレール１３の円弧に沿って配置でき、円弧状内歯車１５ａの駆動歯車１５ｊに対するギア比を比較的大きくできる。これにより駆動歯車１５ｊに与える駆動力を小さくでき、これにより円弧状内歯車１５ａと駆動歯車１５ｊとの間の摩擦力を低減でき、効率良く円弧状ガイドレール１３を回動できる。
【００２８】
この構成によりこの電動駆動機構１５では、第２の電動モータ１５ｃの駆動により、順にウオームギア１５ｄ、第１〜第４中継歯車１５ｆ，１５ｇ，１５ｈ，１５ｉおよび駆動歯車１５ｊが回転され、この回転により駆動歯車１５ｊが円弧状内歯車１５ａ上を前方または後方に転動し、この転動により円弧状ガイドレール１３および載置固定部１１が水平線Ｃ回りに回動される。
【００２９】
次にこの表示装置用回動台１の動作を説明する。薄型表示装置２を前方（後方）に回動させる場合は、第２の電動モータ１５ｃを一方（反対）方向に駆動回転させて、円弧状ガイドレール１３を水平線Ｃ回りに後方（前方）に回動させる。これにより載置固定台１１が水平線Ｃ回りに後方（前方）に回動され、載置固定台１１に載置固定された薄型表示装置２が水平線Ｃ回りに前方（後方）に回動される。
【００３０】
また薄型表示装置２を左方向（右方向）に回動させる場合は、前記第１の電動モータを一方（反対）方向に駆動回転させて、前記第１の電動モータの回転軸に配設された前記歯車を、基盤台３に配設された前記円弧状ラック上を一方（反対）方向に転動させて、回転台５を基盤台３に対して左回り（右回り）に水平回転させる。これにより薄型表示装置２が左方向（右方向）に回動される。
【００３１】
以上の様に構成された表示装置用回動台１によれば、円弧状ガイドレール１３は、支持用ローラ９により、その円弧１３ｄの中心点１３ｅが載置固定部１１に載置固定された薄型表示装置２の重心を通って左右方向に延びた水平線Ｃ上に配置した状態で、その水平線Ｃ回りに回動自在に支持されるので、載置固定部１１に載置固定された薄型表示装置２の重心位置を固定した状態で薄型表示装置２を前後に回動でき、これにより薄型表示装置２を安定させて前後に回動できる。
【００３２】
また電動駆動機構１５により円弧状ガイドレール１３を水平線Ｃ回りに回動させて載置固定部１１を前後に回動させるので、載置固定部１１に載置固定された薄型表示装置２を、電動で、安定させて前後で回動させる。
【００３３】
また円弧状ガイドレール１３が支持用ローラ９により支持されるので、小さな力でスムーズに円弧状ガイドレール１３を回動できる。
【００３４】
また円弧状ガイドレール１３は、円弧状上辺部１３ａと、円弧状下辺部１３ｂと、それら各辺部１３ａ，１３ｂの両端を連結する一対の連結部１３ｃとを有し、それら角辺部１３ａ，１３ｂ間に支持用ローラ９が配置されるので、簡単な構造で、支持用ローラ９を脱落防止してガイドできる。
【００３５】
またウオームギア１５ｄは、ウオームホイール１５ｅの回転により回転可能であるので、載置固定部１１に載置固定された薄型表示装置２を、第２の電動モータ１５ｃの駆動により前後に回動できるだけでなく、手動でも前後に回動できる。
【００３６】
また円弧状内歯車１５ａを用いるので、ギアボックス１５ｂを小型にできる。
【００３７】
また回転台（第１の台部）５を水平回転自在に支持する基盤台（第２の台部）３を備えるので、薄型表示装置２を前後の回動でだけでなく、水平方向にも回動できる。
【００３８】
実施の形態２．
この実施の形態では、実施の形態１での円弧状ガイドレール１３と立設部７との変形例を説明する。
【００３９】
この実施の形態での円弧状ガイドレール１３Ｂは、図１３〜図１５の様に、円弧状ガイドレール本体１３ｇと、円弧状ガイドレール本体１３ｇを載置固定部１１に固定する固定部材１３ｈとから構成されている。
【００４０】
円弧状ガイドレール本体１３ｇは、その円弧の曲率半径に沿った断面がコの字形状に形成されている。即ち円弧状ガイドレール本体１３ｇは、長辺が円弧状に湾曲した矩形板状の側面部１３ｉを有し、その側面部１３ｉの上辺に平板状の上面部１３ｊが側方に突出する様に延設されると共に、その側面部１３ｉの下辺に平板状の下面部１３ｋが側方に突出する様に延設されている。
【００４１】
固定部材１３ｈは、例えば、その内側の面に円弧状ガイドレール本体１３ｇの側面部１３ｉが固定される第１固定部１３ｍを有し、その第１固定部１３ｍの上辺には、載置固定部１１との固定用の第２固定部１３ｎが延設されており、その第１固定部１３ｍの両端には、支持用ローラ９の脱落防止用のストッパ１３ｐが延設されている。
【００４２】
尚、円弧状ガイドレール１３Ｂは、図１３〜１５では便宜上１個しか図示されていないが、実施の形態１と同様に載置固定部１１の下面に左右一対、対称的に配設されている。
【００４３】
この実施の形態での立設部７Ｂは、図１５の様に、底板部７ｄと底板部７ｄに垂直な垂直平板部７ｅとからなる断面Ｌ字形状の立設部本体７ｆと、垂直平板部７ｅの外側面に配設されて垂直平板部７ｅとの間で支持用ローラ９を水平軸回りに回転自在に保持する保持部材７ｇとを備えている。立設部７Ｂは、図１３〜１５では便宜上１個しか図示されていないが、実施の形態１と同様に回転台５上に左右一対、対称的に配設されている。
【００４４】
図１３の様に、一方の円弧状ガイドレール１３Ｂの各面部１３ｊ，１３ｋ間に、一方の立設部７Ｂの各支持用ローラ９がそれら各面部１３ｊ，１３ｋに沿って移動可能に配置され、他方の円弧状ガイドレール１３Ｂの各面部１３ｊ，１３ｋ間に、他方の立設部７Ｂの各支持用ローラ９がそれら各面部１３ｊ，１３ｋに沿って移動可能に配置される。
【００４５】
この構成により、実施の形態１の場合と同様に、各円弧状ガイドレール１３Ｂは、各立設部７Ｂに配設された支持用ローラ９により、その円弧の中心点が、載置固定部１１に載置固定された薄型表示装置２の重心を通って左右方向に延びた水平線Ｃ上に配置した状態で、その水平線Ｃ回りに回動自在に支持されている。
【００４６】
以上の様に構成された表示装置用回動台１Ｂによれば、円弧状ガイドレール１３Ｂは、その円弧の曲率半径に沿った断面がコの字形状に形成されるので、円弧状ガイドレール１３Ｂの強度を確保でき、これにより円弧状ガイドレール１３Ｂの強度を損なうこと無く円弧状ガイドレール１３Ｂの高さ幅を小さくでき、載置固定部１１と回転台（第１の台部）５との間隔を小さくできる。
【００４７】
また、円弧状ガイドレール１３Ｂのコの字形状の内部に支持用ローラ９が配置されるので、円弧状ガイドレール１３Ｂと支持用ローラ９との組み付けが容易になる。
【００４８】
実施の形態３．
この実施の形態３は、実施の形態１，２において、載置固定部１１の前後回動の中立位置を検出する中立位置検出手段１７を更に備えたものである。
【００４９】
中立位置検出手段１７は、例えば図１６の様に、円弧状ガイドレール１３，１３Ｂの側面または下面に配設された押圧用凸条部１７ａと、回転台５上に配設され、押圧用凸条部１７ａの上端面１７ｃによる押圧によりオンオフ切換される自立復帰型の押しボタンスイッチ１７ｂとを備えている。
【００５０】
押圧用凸条部１７ａは、円弧状ガイドレール１３，１３Ｂの円弧方向に沿って一定の高さで一条状に形成されており、その一端側は、その高さが漸次低くなる傾面１７ｄになっている。
【００５１】
この押圧用凸条部１７ａは、円弧状ガイドレール１３，１３Ｂの前後の回動に伴って前後に回動する。そしてこの回動により、押しボタンスイッチ１７ｂは、その押しボタン部１７ｅが押圧用凸条部１７ａの斜面１７ｄを上って上端面１７ｃにより押圧されてオンにされ、また押圧用凸条部１７ａの斜面１７ｄを下りて上端面１７ｃからの押圧が解除されてオフにされる。
【００５２】
ここでは、円弧状ガイドレール１３，１３Ｂが前方に回動した状態（即ち載置固定部１１が前方に回動した状態）では、押しボタンスイッチ１７ｂは例えばオンされ、円弧状ガイドレール１３，１３Ｂが後方に回動した状態では、押しボタンスイッチ１７ｂは例えばオフされる。
【００５３】
即ち、押しボタンスイッチ１７ｂのオンオフの切り替わりにより載置固定部１１の前後回動の中立位置が検出され、押しボタンスイッチ１７ｂのオン状態により載置固定部１１の前方への回動状態が検出され、押しボタンスイッチ１７ｂのオフ状態により載置固定部１１の後方への回動状態が検出される。
【００５４】
以上の様に構成された表示装置用回動台１Ｃによれば、載置固定部１１の前後回動の中立位置を検出する中立位置検出手段を備えるので、載置固定部１１の前後回動の中立位置を検出でき、その検出結果を用いて第２の電動モータ１５ｃを制御することで、電源のオフ時、オン時または任意の時に載置固定部１１の回動位置を中立位置に戻す事ができる。
【００５５】
また中立位置検出手段１７は、円弧状ガイドレール１３，１３Ｂに円弧状ガイドレール１３，１３Ｂの円弧方向に沿って配設された押圧用凸条部１７ａと、押圧用凸条部１７ａの上端面１７ｃによる押圧によりオンオフ切換される自立復帰型の押しボタンスイッチ１７ｂとを備えるので、載置固定部１１の前後回動の中立位置だけでなく、載置固定部１１の中立位置からの前方への回動状態または後方への回動状態も検出できる。
【００５６】
実施の形態４．
この実施の形態は、実施の形態１〜３において更に、基盤台（第２の台部）３を昇降する電動昇降機構１９を更に備えたものである。
【００５７】
電動昇降機構１９は、例えば図１７の様に、基盤台（第３の台部）１９ａと、基盤台３が配設される昇降台１９ｂと、基盤台１９ａ上にその中心軸回りに回転自在に立設されると共に昇降台１９ｂの螺孔１９ｃに螺挿されたスクリューシャフト１９ｄと、基盤台１９ａ上に立設されると共に昇降台１９ｂの挿通孔１９ｅに挿通されたガイドシャフト１９ｆと、基盤台１９ａ上に配設されたスクリューシャフト回転用の電動駆動ユニット１９ｇとを備えている。
【００５８】
昇降台１９ｂは、その上面に基盤台３が取り付けられる取付面１９ｈを有すると共に、その上下面を貫通する螺孔１９ｃと、その上下面を貫通する挿通孔１９ｅとを有している。螺孔１９ｃは、その内周面に雌ネジが螺刻されており、スクリューシャフト１９ｄの外周面に螺刻された雄ネジと螺合する様になっている。
【００５９】
昇降台１９ｂは、スクリューシャフト１９ｄおよびガイドシャフト１９ｆにより水平方向の位置が固定されており、スクリューシャフト１９ｄのその中心軸回りの回転により、クリューシャフト１９ｄおよびガイドシャフト１９ｆに沿って上昇または下降される。
【００６０】
この構成により、電動駆動ユニット１９ｇを駆動させてスクリューシャフト１９ｄを一方方向に回転させると、スクリューシャフト１９ｄの回転に伴って昇降台１９ｂが上昇され、これにより昇降台１９ｂに取り付けられた基盤台３が昇降されて載置固定部１１に載置固定された薄型表示装置２が上昇される。また電動駆動ユニット１９ｇを駆動させてスクリューシャフト１９ｄを逆方向に回転させると、スクリューシャフト１９ｄの回転に伴って昇降台１９ｂが降下され、これにより昇降台１９ｂに取り付けられた基盤台３が降下されて載置固定部１１に載置固定された薄型表示装置２が降下される。
【００６１】
以上の様に構成された表示装置用回動台１Ｄによれば、基盤台（第２の台部）３を昇降する電動昇降機構１９を備えるので、薄型表示装置２を前後の回動でだけでなく、上下にも可動できる。
【００６２】
また電動昇降機構１９は、基盤台１９ａと、昇降台１９ｂと、スクリューシャフト１９ｄと、ガイドシャフト１９ｆとから構成されるので、簡単な機構で構成できる。
【図面の簡単な説明】
【００６３】
【図１】実施の形態１に係る表示装置用回動台１に表示装置２を配設した場合の前方斜め方向からの斜視図である。
【図２】実施の形態１に係る表示装置用回動台１に表示装置２を配設した場合の後方斜め方向からの斜視図である。
【図３】実施の形態１に係る表示装置用回動台１に表示装置２を配設した場合の表示装置２の前後回動の中立位置状態での側面視図である。
【図４】実施の形態１に係る表示装置用回動台１に表示装置２を配設した場合の表示装置２が前方に回動した状態の側面視図である。
【図５】実施の形態１に係る表示装置用回動台１に表示装置２を配設した場合の表示装置２が後方に回動した状態の側面視図である。
【図６】実施の形態１に係る表示装置用回動台１の前方斜め方向からの斜視図である。
【図７】実施の形態１に係る表示装置用回動台１の後方斜め方向からの斜視図である。
【図８】図６の基盤台３側の部分斜視図である。
【図９】図６の載置固定部１１側の部分斜視図である。
【図１０】図９の矢示Ｐ方向からの斜視図である。
【図１１】図６のギアボックス１５ｂの透視図である。
【図１２】ギアボックス１５ｂの駆動歯車１５ｊと円弧状内歯車１５ａとの歯合状態を示した図である。
【図１３】実施の形態２に係る表示装置用回動台１Ｂの円弧状ガイドレール１３Ｂと立設部７Ｂとの組み付き状態を説明する図である。
【図１４】図１３の載置固定部１１側の部分斜視図である。
【図１５】図１３の基盤台３側の部分斜視図である。
【図１６】実施の形態３に係る表示装置用回動台１Ｃの中立位置検出手段１７の構成を説明する図である。
【図１７】実施の形態４に係る表示装置用回動台１Ｄの電動昇降機構１９の構成概略図である。
【符号の説明】
【００６４】
１  表示装置用回動台、２  表示装置、３  基盤台（第２の台部）、５  回転台（第１の台部）、７，７Ｂ  立設部、７ａ  底板部、７ｂ，７ｃ  垂直平板部、７ｄ  底板部、７ｅ  垂直平板部、７ｆ  立設部本体、７ｇ  保持部材、９  支持用ローラ、１１  載置固定部、１１ａ  載置部、１１ｂ  左右の位置決め用の垂直板部、１１ｃ  前後の位置決め用の凸条部、１１ｄ  固定板、１１ｅ  孔部、１３，１３Ｂ  円弧状ガイドレール、１３ａ  円弧状上辺部、１３ｂ  円弧状下辺部、１３ｃ  連結部、１３ｄ  円弧、１３ｅ  中心点、１３ｆ  固定部、１３ｇ  円弧状ガイドレール本体、１３ｈ  固定部、１３ｉ  側面部、１３ｊ  上面部、１３ｋ  下面部、１３ｍ  第１固定部、１３ｎ  第２固定部、１３ｐ  ストッパ、１５  電動駆動機構、１５ａ  円弧状内歯車、１５ｂ  ギアボックス、１５ｃ  第２の電動モータ、１５ｄ  ウオームギア、１５ｅ  ウオームホイール、１５ｆ  第１中継歯車、１５ｇ  第２中継歯車、１５ｈ  第３中継歯車、１５ｉ  第４中継歯車、１５ｊ  駆動歯車、１７  中立位置検出手段、１７ａ  押圧用凸条部、１７ｂ  押しボタンスイッチ、１７ｃ  上端面、１７ｄ  斜面、１７ｅ  押しボタン部、１９  電動昇降機構、１９ａ  基盤台（第３の台部）、１９ｂ  昇降台、１９ｃ  螺孔、１９ｄ  スクリューシャフト、１９ｅ  挿通孔、１９ｆ  ガイドシャフト、１９ｇ  電動駆動ユニット、１９ｈ  取付面、Ｃ  水平線、Ｃ２，Ｃ３，Ｃ４  回転軸。
【図１】
0005213502.tif 000002
【図２】
0005213502.tif 000003
【図３】
0005213502.tif 000004
【図４】
0005213502.tif 000005
【図５】
0005213502.tif 000006
【図６】
0005213502.tif 000007
【図７】
0005213502.tif 000008
【図８】
0005213502.tif 000009
【図９】
0005213502.tif 000010
【図１０】
0005213502.tif 000011
【図１１】
0005213502.tif 000012
【図１２】
0005213502.tif 000013
【図１３】
0005213502.tif 000014
【図１４】
0005213502.tif 000015
【図１５】
0005213502.tif 000016
【図１６】
0005213502.tif 000017
【図１７】
0005213502.tif 000018